(57)【特許請求の範囲】
【請求項１】
座面を有する座体と、
前記座面に対して略垂直な板状をなして前記座体と隣接する側板と、
前記座体の前側に配置され、利用者の下腿を支持する下腿受け面を有し、前記座体側の基端部に設けられた回転軸回りに傾動可能に設けられた下腿受け部と、
前記座体の後側に配置された背凭れと、
前記側板に重なるように配置された支持板と、
前記支持板の上辺部に支持された肘置き本体を有する肘置きと、
を備え、
前記下腿受け部は、前記下腿受け面が前記座体から前方へと延びるレッグアップ位置と、前記基端部から先端部に向かうに従って、前記下腿受け面が前側から後ろ側に向かうように傾斜し、側面視して前記側板の輪郭の内側に前記下腿受け部が格納される格納位置と、の間で傾動可能であり、
前記側板は、側面視して、前記格納位置に前記下腿受け部が格納された状態における前記下腿受け面に略倣って前記座面に対して傾斜する前辺部を有する
医療用椅子装置。
【請求項２】
前記側板を、前記座体を間に挟んで互いに離間して複数備える、請求項１に記載の医療用椅子装置。
【請求項３】
前記下腿受け部は、前記回転軸回りに前記レッグアップ位置から下方へ９０°を超えて傾動可能である、請求項１または２に記載の医療用椅子装置。
【発明の詳細な説明】
【技術分野】
【０００１】
本発明は、医療用椅子装置に関する。
【背景技術】
【０００２】
従来、着座者の姿勢を着座姿勢から横臥姿勢まで様々な姿勢に変化させることができる椅子装置が知られている。たとえば特許文献１には、着座者の脚を支えるフレームが前下がりとなる着座モード、又はこのフレームが略水平となるベッドモードとなるように変形可能な多目的チェアが開示されている。
【先行技術文献】
【特許文献】
【０００３】
【特許文献１】特開２００３−９３１８９号公報
【発明の概要】
【発明が解決しようとする課題】
【０００４】
特許文献１に開示された多目的チェアは、着座モードにおいて着座者の脚が前下方に向かうように脚を支持するので、多目的チェアに座っている着座者が前方へ立ち上がる際の重心移動が大きく、また、多目的チェアの前方から着座しようとすると多目的チェアに倒れ込むような動作となってしまう。このため、特許文献１に開示された多目的チェアは、多目的チェアの座面の横側に向いて立ち座りするなどの配慮が必要である。
【０００５】
ところで、医療用の椅子装置に着座した患者に医療機器等が装着されて治療等の処置が行われる場合がある。この場合、処置に要する時間が長時間に亘ると、医療機器等を装着したまま着座者（患者）が一旦離席する必要が生じることがある。たとえば点滴を受けている最中に着座者が離席する場合、特許文献１に開示された多目的チェアでは、輸液キットのチューブが引っかかったり輸液スタンドがぶつかったりしないように注意しなければならないので、着座や起立の動作が煩雑となり、負担が大きい。
【０００６】
本発明は、上述した事情に鑑みてなされたものであって、立ち座り動作における負担が少ない医療用椅子装置を提供することを目的とする。
【課題を解決するための手段】
【０００７】
本発明の一態様は、座面を有する座体と、前記座面に対して略垂直な板状をなして前記座体と隣接する側板と、前記座体の前側に配置され、利用者の下腿を支持する下腿受け面を有し、前記座体側の基端部に設けられた回転軸回りに傾動可能に設けられた下腿受け部と、前記座体の後側に配置された背凭れと、前記側板に重なるように配置された支持板と、前記支持板の上辺部に支持された肘置き本体を有する肘置きと、を備え、前記下腿受け部は、前記下腿受け面が前記座体から前方へと延びるレッグアップ位置と、前記基端部から先端部に向かうに従って、前記下腿受け面が前側から後ろ側に向かうように傾斜し、側面視して前記側板の輪郭の内側に前記下腿受け部が格納される格納位置と、の間で傾動可能であり、前記側板は、側面視して、前記格納位置に前記下腿受け部が格納された状態における前記下腿受け面に略倣って前記座面に対して傾斜する前辺部を有する医療用椅子装置である。
【０００８】
上記態様の医療用椅子装置において、下腿受け部が格納位置に格納されている状態で、下腿受け面の前方に、着座者の踵が入り込む空間が生じる。このため、上記態様の医療用椅子装置によれば、医療用椅子装置から着座者が起立しようとするときの重心移動量が少なくて済み、着座者の着座時及び起立時の動作における負担が少ない。
【０００９】
また、前記側板を、前記座体を間に挟んで互いに離間して複数備えてもよい。
この場合、医療用椅子装置の座面の左右のどちらに輸液スタンド及び輸液キットが配置されていても、輸液キットのチューブや輸液スタンドの脚が下腿受け部に干渉しにくくなるように、輸液キットのチューブや輸液スタンドの脚を複数の側板によって保護することができる。
【００１０】
また、前記下腿受け部は、前記回転軸回りに前記レッグアップ位置から下方へ９０°を超えて傾動可能であってもよい。
この場合、着座者の膝の真下より後方に踵を入れる空間が生じるように下腿受け部が格納されるので、着座及び起立がしやすい。
【発明の効果】
【００１１】
本発明の医療用椅子装置によれば、下腿受け部を格納位置に格納することができるので、立ち座り動作における負担が少ない。
【図面の簡単な説明】
【００１２】
【図１】本発明の一実施形態の医療用椅子装置の斜視図である。
【図２】同椅子装置の側面図である。
【図３】同椅子装置の正面図である。
【図４】同椅子装置の下腿受け部及び背凭れの動作を説明するための図である。
【発明を実施するための形態】
【００１３】
以下、本発明の実施形態について図面を参照して説明する。なお、以下の説明における前後、左右及び上下の向きは、椅子の座体上で背凭れに背を向けて着座した着座者から見た向きを基準とする。
【００１４】
図１は、本実施形態の医療用椅子装置の斜視図である。図２は、椅子装置の側面図である。図３は、椅子装置の正面図である。図４は、椅子装置の下腿受け部及び背凭れの動作を説明するための図である。
図１に示す本実施形態の椅子装置１は、例えば医療用あるいは介護用に用いられるリクライニング椅子であり、長時間着座使用する際にも着座者が様々な姿勢を取ることができるように、例えば電動により着座者が椅子各部の姿勢及び位置等を任意に調整可能とされる。
【００１５】
図１から図３までに示すように、椅子装置１は、床面Ｆ（図２参照）上に設置される枠状のベースフレーム２と、ベースフレーム２に昇降可能に支持される椅子本体３と、を備える。椅子本体３は、座体４、背凭れ５、下腿受け部６及び左右肘置き７を備えている。
【００１６】
座体４は、平面視矩形状の略水平な座面８（上面）を形成する。座体４の左右側方には、左右側板９（第一側板９１，第二側板９２）が配置される。これら左右側板９の上辺部の間に座体４が配置される。左右側板９は、座面８に対して略垂直な板状をなしている。また、左右側板９の上辺９ａは、側面視で、座面８よりも下方に位置している。また、左右側板９の前方側に位置する前辺部９ｂは、側面視で、上方へ行くに従って前方に行くように前傾している。左右側板９における前傾した前辺部９ｂの間には、格納位置にある下腿受け部６が配置される。座体４、左右側板９及び下腿受け部６は、ボックス状の機構収容部１０を形成する。機構収容部１０の内部には、椅子本体３を昇降させる昇降装置、背凭れ５をリクライニングさせるリクライニング機構等の各種駆動機構が収容される（何れも不図示）。
【００１７】
左右側板９の外側には、左右肘置き７の支持板１１が重なるように配置される。支持板１１における下辺部１１ｃは、側面視で略水平に形成されている。また、支持板１１における前辺部１１ｂは、側面視で、下方から上方へ行くに従って前方に行くように前傾している。さらに、支持板１１における後辺部１１ｄは、側面視で、下方から上方へ行くに従って後方へ行くように後傾している。支持板１１の上辺部１１ａには、略水平な肘置き本体１２が支持される。
【００１８】
左右肘置き７の肘置き本体１２には、着座者の肘を置くことができる。また、左右肘置き７は、肘置き本体１２を昇降動作させることができるように、例えば背凭れ５のリクライニング動作と連動して昇降可能となっている（図４参照）。
【００１９】
図３及び図４に示すように、下腿受け部６は、着座者の脚を載せるための下腿受け面６ｃを有している。下腿受け部６は、座体４の前下方で左右側板９の前辺部９ｂ間に挟まれる格納位置Ｐ１と、座体４の前方で略水平に配置されるレッグアップ位置Ｐ２と、の間で傾動可能とされる。下腿受け部６は、機構収容部１０の前部に支持され、機構収容部１０内の駆動機構の作動により、格納位置Ｐ１とレッグアップ位置Ｐ２との間で傾動可能である。本実施形態では、下腿受け部６は、レッグアップ位置Ｐ２から格納位置Ｐ１まで、下腿受け部６と座体４との隣接部を軸として９０°を超えて傾動可能である。下腿受け部６の格納位置に下腿受け部６が格納されている状態では、下腿受け部６の下端６ａが下腿受け部６の上端６ｂ（下腿受け部６と座体４との隣接部）よりも後方（背凭れ５側）に位置するように、下腿受け部６が座面８に対して傾斜して格納されている。下腿受け部６の下端６ａが下腿受け部６の上端６ｂよりも後方に位置するように下腿受け部６が格納可能であることにより、座体４の前下方に、着座者の踵を入れる空間Ａ１（図２参照）を生じさせることができる。その結果、下腿受け部６が格納位置に格納された状態では、着座者が着座及び起立する際の重心移動が少なくて済むので、座りやすく、立ちやすい。
【００２０】
また、下腿受け部６が格納位置にあるときに、下腿受け部６は左右側板９によって挟まれているので、下腿受け部６と左右側板９との間には、物が挟まりにくい。たとえば、本実施形態の椅子装置１の使用時に椅子装置１とともに使用される輸液セットのチューブ２０は、着座者が輸液スタンド２１を持って起立する際に下腿受け部６の近傍まで引き寄せられる。このとき、左右側板９が設けられていることにより、チューブ２０が下腿受け部６に接触しないので、輸液スタンド２１を着座者が持って起立する過程でチューブ２０が下腿受け部６に引っかかることがない。
【００２１】
なお、下腿受け面６ｃが左右側板９の間に完全に格納されることは必須ではない。すなわち、下腿受け部６は、格納位置Ｐ１にあるときに、左右側板９の側面視における輪郭の内側且つ座体４の下部に少なくとも一部が入り込むように格納される。たとえば、下腿受け部６が格納位置にある状態において、下腿受け面６ｃの反対側の裏面６ｄが側面視で左右側板９の前辺部９ｂよりも後方に位置していればよい。
【００２２】
図４に示すように、背凭れ５は、座体４を間に挟んで下腿受け部６と反対側に配置されている。背凭れ５は、座体４の後上方で起立する起立位置（図２参照）と、座体４の後方で略水平に配置されるリクライニング位置（図４参照）と、の間で傾動可能とされる。背凭れ５は、機構収容部１０の後部に支持され、機構収容部１０内のリクライニング機構の作動により、前記起立位置とリクライニング位置との間で傾動可能である。
【００２３】
背凭れ５は、着座者の背を支持する背凭れ面１３（前面）よりも上方に延出し、背凭れ面１３の上方にヘッドレスト１４を一体形成する。ヘッドレスト１４の前面は頭部支持面１６とされ、この頭部支持面１６の直前位置が着座者の頭部位置とされる。本実施形態において、ヘッドレスト１４は背凭れ５の一部（上部）であるともいえる。なお、頭部支持面１６に別途クッションを設置してもよい。
【００２４】
ヘッドレスト１４の左右側部には、前方かつ左右外側に向けて起立する左右一対の側方遮蔽部１５が一体形成される。これにより、着座者の頭部側方の視界が適度に遮られるとともに、同方向からの視線が適度に遮られる。左右の側方遮蔽部１５には、頭部位置に向けて音声を発するスピーカが内蔵される。
【００２５】
本実施形態の椅子装置１の作用について説明する。
椅子装置１は、背凭れ５を起立位置とし、下腿受け部６を格納位置とすることで、椅子としての態様となる（図２参照）。このとき、肘置き７は上昇位置にあり、この肘置き７上には、着座姿勢にある着座者の肘及び前腕が載置され、化学療法等の医療行為が継続可能とされる。
また、椅子装置１は、背凭れ５をリクライニング位置とし、下腿受け部６をレッグアップ位置とすることで、座体４、背凭れ５及び下腿受け部６を略水平に連ねたベッドとしての態様となる（図４参照）。このとき、肘置き７は下降位置にあり、この肘置き７上には、横臥姿勢にある着座者の肘及び前腕が載置され、リクライニング前の医療行為が継続可能とされる。
【００２６】
このように、椅子装置１は、着座者の姿勢を着座姿勢から横臥姿勢まで様々な姿勢に変化させることができる。なお、背凭れ５、下腿受け部６及び肘置き７は、個々に任意の位置調整を可能としてもよいが、着座者に化学療法等の医療行為が施される場合、背凭れ５のリクライニングと肘置き７の昇降とは連動して行われてもよい。
【００２７】
また、化学療法等の医療行為は長時間に亘ることもあり、椅子装置１から着座者が離れる必要が生じることもある。この場合、図２に示すように、椅子装置１における背凭れ５を起立位置とし、下腿受け部６を格納位置とすることで、着座者は、椅子装置１から容易に起立し、前方へ移動することができる。また、例えば椅子装置１に着座している着座者が輸液を行っている最中に椅子装置１から離れる場合、着座者が輸液スタンド２１を持って輸液スタンド２１とともに移動する場合がある。この場合、本実施形態では、輸液スタンド２１に取り付けられた輸液セットのチューブ２０は、左右側板９には接触するが、下腿受け部６には接触しない。このため、下腿受け部６が傾斜して格納位置に格納された状態で輸液スタンド２１を着座者が前方に移動させる過程で、下腿受け部６にチューブ２０が引っかかることがない。
【００２８】
以上に説明したように、本実施形態の椅子装置１によれば、着座者が椅子装置１から立ち上がって前方へ移動することが容易である。また、本実施形態の椅子装置１によれば、着座者が椅子装置１の前方へ移動する過程で輸液セットのチューブ２０が下腿受け部６に引っかかることがないので、輸液中の針が意図せずに抜けてしまうなどの不具合が起こりにくい。
【００２９】
また、本実施形態の椅子装置１の左右側板９の前辺部９ｂが、上方へ行くに従って前方へ行くように前傾しているので、左右側板９の上部に輸液スタンド２１がぶつからないように輸液スタンド２１を移動させれば、輸液スタンド２１を着座者の側に引き寄せた場合でも輸液スタンド２１の脚が椅子装置１に衝突しにくい。
【００３０】
以上、本発明の実施形態について図面を参照して詳述したが、具体的な構成はこの実施形態に限られるものではなく、本発明の要旨を逸脱しない範囲の設計変更等も含まれる。
例えば、椅子装置１は、格納あるいは移動可能なテーブルを有していてもよい。
【符号の説明】
【００３１】
１  椅子装置
２  ベースフレーム
３  椅子本体
４  座体
６  下腿受け部
６ｃ  下腿受け面
８  座面
９  左右側板
９ｂ  側板の前辺部
１０  機構収容部
１１  支持板
１２  肘置き本体
１３  背凭れ面
１４  ヘッドレスト
１５  側方遮蔽部
１６  頭部支持面
２０  チューブ
２１  輸液スタンド
【図１】
0006749534.tif 000002
【図２】
0006749534.tif 000003
【図３】
0006749534.tif 000004
【図４】
0006749534.tif 000005